(57)【特許請求の範囲】
【請求項１】
瞳孔での所定の第１の領域での屈折力を他覚的に検出する為の屈折力測定系と、角膜表面の形状を測定する為の角膜形状測定系と、角膜形状測定系で測定された角膜各点での形状データと屈折力測定系で測定された屈折力に基づき、前記第１の領域とは異なる領域での屈折力データを算出する為の演算部を有し、
前記演算部は、角膜矯正手術前に測定した瞳孔での第１領域での第１の屈折力と角膜矯正手術後での前記領域と同じ領域での第２の屈折力との差からなる屈折力変位量と、角膜矯正手術前の角膜各点での第１の角膜形状データと角膜矯正手術後の角膜各点での第２の角膜形状データとの差からなる角膜形状変位データと、前記第２の屈折力とに基づき角膜矯正手術後の前記第１の領域とは異なる領域での屈折力データを算出することを特徴とする眼特性測定装置。
【請求項２】
前記形状データは、角膜の各表面位置での角膜傾斜角値である請求項１の眼特性測定装置。
【請求項３】
前記演算部は、前記角膜傾斜角値から角膜各点での角膜前面屈折力データを算出し、該角膜前面屈折力データと前記第１の領域の屈折力データに基づき、前記第１領域とは異なる領域での屈折力データを算出する請求項２の眼特性測定装置。
【請求項４】
前記演算部は、瞳領域全域での屈折力データを算出する請求項１の眼特性測定装置。
【請求項５】
角膜矯正手術前に自覚値の眼屈折力を測定し、該自覚眼屈折力と前記第１の屈折力とにより眼屈折力のバイアス値を求め、該バイアス値で前記屈折力データを補正する請求項１の眼特性測定装置。
【発明の詳細な説明】
【０００１】
【発明の属する技術分野】
本発明は被検眼の光特性を高精度に測定可能な眼特性測定装置に関するものである。
【０００２】
【従来の技術】
従来、被検眼の屈折度を他覚的に測定する為の眼屈折力測定装置が知られていた。この種の装置に於いては、瞳孔のある特定の領域、一般的には瞳孔上で特定半径の輪帯状の領域を通して被検眼眼底に測定用光束を投影し、該測定用光束を利用して被検眼の球面度数、乱視度数、乱視軸を測定するものである。
【０００３】
【発明が解決しようとする課題】
然し乍ら、この装置に於いては瞳孔の特定輪帯状の領域だけの特性しか分からず、球面度数、乱視度数、乱視軸以外の高次の収差を含む可能性のある瞳孔全体での屈折特性を正確に測定することができなかった。現在角膜矯正手術が普及しているが、角膜矯正手術後では図８（Ｂ）に示される様に角膜前面形状が複雑に変化するので、角膜矯正手術の普及に伴い、瞳孔上での異なる輪帯状領域で屈折特性が変化する被検眼が増加することが予測され、特定の領域だけでなく瞳孔全体での屈折力を正確に測定する装置が特に要求されてきている。
【０００４】
その為、被検眼眼底に点光源像を投影し、この点光源像から瞳孔の全領域を通過する光束の波面を検出し、高次の収差を含んだ瞳孔の全領域の屈折特性を検出する装置も提案されている。然し乍ら、この装置に於いては、瞳孔から射出される光束を複数の多数の開口孔を有するハルトマン絞りと各開口孔を通過する各光束の到達位置を検出する為の光電素子とからなる波面センサー等の手段で波面を検出する必要が有り、構成上、複雑にならざるを得ないという欠点を有するものである。
【０００５】
本発明はこれらの従来技術の問題を解決するものであり、瞳孔全域から射出される光束の波面を波面センサーで測定せずに、瞳孔上での特定の径の輪帯状の領域での屈折特性と角膜の形状の測定結果だけから、異なる輪帯状の屈折特性、ひいては瞳孔の全領域の屈折特性を測定可能にした装置を提案することを目的とするものである。
【０００６】
【課題を解決する為の手段】
本発明は、瞳孔での所定の第１の領域での屈折力を他覚的に検出する為の屈折力測定系と、角膜表面の形状を測定する為の角膜形状測定系と、角膜形状測定系で測定された角膜各点での形状データと屈折力測定系で測定された屈折力に基づき、前記第１の領域とは異なる領域での屈折力データを算出する為の演算部を有する眼特性測定装置に係り、又瞳孔の屈折力を自覚値により検出する為の屈折力測定系と、角膜表面の形状を測定する為の角膜形状測定系と、角膜形状測定系で測定された角膜各点での角膜矯正手術前の形状データと屈折力測定系で測定された屈折力に基づき、前記角膜形状測定系で測定された角膜各点での角膜矯正手術後の形状データから全領域での屈折力データを算出する為の演算部とを有する眼特性測定装置に係り、又前記形状データは、角膜の各表面位置での角膜傾斜角値である眼特性測定装置に係り、又前記演算部は、前記角膜傾斜角値から角膜各点での角膜前面屈折力データを算出し、該角膜前面屈折力データと前記第１の領域の屈折力データに基づき、前記第１領域とは異なる領域での屈折力データを算出する眼特性測定装置に係り、又前記演算部は、角膜矯正手術前に測定した瞳孔での第１領域での第１の屈折力と角膜矯正手術後での前記領域と同じ領域での第２の屈折力との差からなる屈折力変位量と、角膜矯正手術前の角膜各点での第１の角膜形状データと角膜矯正手術後の角膜各点での第２の角膜形状データとの差からなる角膜形状変位データと、前記第２の屈折力とに基づき角膜矯正手術後の前記第１の領域とは異なる領域での屈折力データを算出する眼特性測定装置に係り、又前記演算部は、瞳領域全域での屈折力データを算出する眼特性測定装置に係り、更に又角膜矯正手術前に自覚値の眼屈折力を測定し、該自覚眼屈折力と前記第１の屈折力とにより眼屈折力のバイアス値を求め、該バイアス値で前記屈折力データを補正する眼特性測定装置に係るものである。
【０００７】
【発明の実施の形態】
以下、図面を参照しつつ本発明の実施の形態を説明する。
【０００８】
本発明に係る眼特性測定装置の基本構成は、従来から知られている特定の領域での屈折力、及び角膜形状を測定可能な装置と同等である。
【０００９】
先ず、図１に於いて、眼特性測定装置の基本構成について説明する。
【００１０】
図１に示す眼特性測定装置は、角膜形状を測定する為のケラトメータ（角膜形状測定系）、屈折力を他覚的に測定する為のレフラクトメータ（屈折力測定系）双方の機能を有するオートケラトレフラクトメータであり、被検眼Ｅに対峙して光路１乃至光路５を構成する以下に述べる光学素子を備えている。
【００１１】
光路１は、被検眼Ｅに眼屈折力測定用のリング状視標像を投影する為の光学系で、光源１１、コリメーターレンズ１２、円錐プリズム１３、被検眼Ｅの瞳と共役な位置に配置されるリング状絞り板１４、リレーレンズ１５、穴開きプリズム１６、ハーフミラー１７，１８、対物レンズ１９で構成される。
【００１２】
光路２は、被検眼Ｅの眼底から反射したリング視標像をエリアセンサ２６で受光する為の光学系で、対物レンズ１９、ハーフミラー１８，１７、穴開きプリズム１６、ミラー２０、リレーレンズ２１、光軸方向に沿って移動可能な移動レンズ２２、ミラー２３、ハーフミラー２４、結像レンズ２５、エリアセンサ２６で構成されている。該エリアセンサ２６には表示器６１が接続されると共に切換えスイッチ６２を介してフレームメモリ６３，６４が接続されている。
【００１３】
光路３は、被検眼Ｅの屈折力を測定する際に被検眼Ｅを固視、雲霧させる為の光学系で、光源３１、コリメータレンズ３２、固視標３３、リレーレンズ３４、ミラー３５、ハーフミラー１７，１８、対物レンズ１９で構成されている。
【００１４】
光路４は、被検眼角膜に向けて多重リング状指標像被を投影する為の光学系で、被検眼眼前にあってリング状に並べられた複数の光源４１、拡散板４２、多重リング状絞りを有するリング状視標板４３で構成されている。
【００１５】
光路５は、被検眼Ｅの前眼部像と共に被検眼角膜により反射された多重リング状絞り像を受光する為の光学系で、対物レンズ１９、ハーフミラー１８、絞り５１、リレーレンズ５２、コリメーターレンズ５３、ハーフミラー２４、結像レンズ２５、ＣＣＤ素子等からなるエリアセンサ２６で構成されている。
【００１６】
前記フレームメモリ６３に屈折度演算部６５が接続され、該屈折度演算部６５は球面度数、乱視度数、乱視軸の屈折度数を演算する機能を有する。前記屈折度演算部６５の演算結果は、主演算処理部６７に入力される。前記フレームメモリ６４には角膜形状演算部６６が接続され、該角膜形状演算部６６には角膜傾斜値等の角膜形状を演算する機能を有する。前記角膜形状演算部６６の演算結果は、前記主演算処理部６７に入力される。該主演算処理部６７には自覚式検眼器６８が接続され、該自覚式検眼器６８により演算された屈折度も入力可能となっている。前記主演算処理部６７は眼特性測定装置の測定作動を制御すると共に前記屈折度演算部６５、前記角膜形状演算部６６からの演算結果を基に瞳孔全領域での眼屈折力のマップを作成すると共に、最適な屈折特性を演算する機能を有する。
【００１７】
次に、上記構成のオートケラトレフラクトメータの作用を説明する。
【００１８】
先ず、検者は、エリアセンサ２６からの映像信号に基づき表示器６１に表示された被検眼前眼部を観察しアライメント調整を行った後測定スイッチ（図示せず）を押す。この測定スイッチのＯＮにより、光路３を介して固視標３３の像が被検眼Ｅに投影され被検眼Ｅを固視、雲霧させ、その後、光源１１が点灯され光路１を介して被検眼Ｅの瞳で所定半径のリング状領域を通して被検眼眼底にリング状指標像が投影される。この眼底からの反射光束は、光路２を通り、エリアセンサ２６上にリング状視標像を形成する。そのリング状視標像の画像信号は切換えスイッチ６２を介してフレームメモリ６３に記憶される。屈折度数演算部６５は、このフレームメモリ６３により記録されたリング状指標像の映像信号に基づき、公知の演算方法により、球面度数、乱視度数、乱視軸からなる屈折度数を演算し、その演算結果を主演算処理部６７に出力する。
【００１９】
次に、光源４１が点灯され光路４を介して被検眼角膜に向け多重リング状視標像が投影され、角膜表面により反射された光束は、光路５を介してエリアセンサ２６上に多重リング状視標像を形成する。この多重リング状視標像の映像信号は、切換えスイッチ６２を介してフレームメモリ６４に記憶される。角膜形状演算部６６は、このフレームメモリ６４に記憶された多重リング状視標像の画像信号に基づき、被検眼角膜前面の全域での形状を公知方法で演算し、その演算結果を主演算処理部６７に出力する。該主演算処理部６７は前記屈折度演算部６５からの演算結果、前記角膜前面形状演算部６６からの演算結果を基に被検眼Ｅの瞳孔の全領域の屈折特性を演算する。
【００２０】
以下、図２を参照して第１の実施の形態について説明する。
【００２１】
ＳＴＥＰ  １：測定が開始されると、先ずレフラクトメータ機能により眼屈折力が測定される。前記光路１により、被検眼Ｅにリング状指標像１０（図３（Ａ）（Ｂ）参照）が投影され、前記光路２により被検眼Ｅの眼底で反射されたリング状指標が前記エリアセンサ２６に結像される。前記切換えスイッチ６２は前記エリアセンサ２６からの画像信号を前記フレームメモリ６３に入力する様に前記エリアセンサ２６と前記フレームメモリ６３とを接続しており、該フレームメモリ６３は前記エリアセンサ２６の画像信号を記録する。前記屈折度演算部６５は該エリアセンサ２６に記憶された画像信号から、前記リング状指標像１０が投影された領域での屈折力Ｓｒ、Ｃｒ、Ａｘｒ、更に前記リング状指標像１０領域での眼屈折力（ディオプター値）Ｄｒ＝Ｓｒ＋Ｃｒｃｏｓ2 （θ−Ａｘｒ）を算出する。
【００２２】
ＳＴＥＰ  ２：次に、ケラトメータ機能により角膜前面形状が測定される。前記光路４により多重リング状指標が被検眼Ｅの角膜に投影され、前記光路５は被検眼Ｅにより反射された多重リング状指標を前記エリアセンサ２６に導き結像する。前記切換えスイッチ６２は前記エリアセンサ２６と前記フレームメモリ６４とを接続しており、前記エリアセンサ２６の画像信号は前記フレームメモリ６４に記憶される。前記角膜形状演算部６６は前記フレームメモリ６４に記憶された画像信号から、前記瞳領域全域での角膜傾斜等の角膜前面形状を算出する。
【００２３】
ＳＴＥＰ  ３：被検眼Ｅの光軸を通る任意な測定断面（ｘ−ｆ（ｘ）断面、図３（Ｂ）参照）、例えば光軸を通る鉛直測定断面（角度θ）での眼屈折力の測定を行う。図４で示す様に、点Ｐ（座標：ｘ）に於ける角膜前面屈折力はφｐｃ（ｘ）は下記数式１により求められる。図３（Ｂ）中、９は水晶体を示す。
【００２４】
φｐｃ（ｘ）＝ｎ／ｆ（ｘ）…（１）
【００２５】
ここで、ｆ（ｘ）：角膜頂点０から、点Ｐに平行入射し角膜前面で屈折した光線と光軸との交点迄の距離、ｎ：角膜の屈折力（約１．３７５）である。
【００２６】
又、前記屈折した光線と光軸とのなす角をＵ、光軸と前記角膜頂点０と点Ｐとを結ぶ線とのなす角をα、入射角即ち点Ｐでの垂線と光軸とのなす角をＩ、垂線と前記屈折した光線とのなす角をＩ′とすると、
【００２７】
ｆ（ｘ）＝ｘ／ｔａｎＵ＋ｘ／ｔａｎα…（２）
【００２８】
Ｕ＝Ｉ−Ｉ′
α＝（１８０°−Ｉ）／２であり、又スネルの法則から
ｓｉｎＩ＝ｎｓｉｎＩ′、即ちＩ′＝ｓｉｎ-1（ｓｉｎＩ／ｎ）
となる。尚、入射角Ｉは角膜傾斜角値Ｋ（ｘ）に等しい。而して、ｆ（ｘ）が求められ、更に前記φｐｃ（ｘ）が求められる。
【００２９】
即ち、任意の点Ｐ（座標：ｘ）の角膜前面屈折力φｐｃ（ｘ）は、角膜の傾斜角値が測定されることで求められる。又、眼屈折力は前記角膜前面屈折力φｐｃ（ｘ）に水晶体９等被検眼Ｅ内部の屈折力を加えたものである。
【００３０】
ＳＴＥＰ  ４：前記リング状指標像１０の（ｘ−ｆ（ｘ）断面）での点Ｐ１（座標ｘ１）、Ｐ点（座標ｘ２）（図３参照）での角膜前面屈折力φｒｃ１、φｒｃ２についてもＰ１（座標ｘ１）、Ｐ点（座標ｘ２）での傾斜角値を基に同様にして求められる。
【００３１】
ＳＴＥＰ  ５：更に、Ｐ１，Ｐ２についてはＳＴＥＰ１に於いて眼屈折力が実測されており、又被検眼Ｅの水晶体９等の内部屈折力については全域に於いて略等しいということが分かっている。従って、ＳＴＥＰ３で演算された前記眼屈折力φｒｃ１、φｒｃ２と、実測された眼屈折力と、被検眼Ｅの内部屈折力が全域に於いて等しいという関係から、下記数式３により点Ｐでの眼屈折力を求めることができる。
【００３２】
Ｄｐ（ｘ）＝（φｐｃ（ｘ）−（（ｘ−ｘ２）／（ｘ１−ｘ２））×（φｒｃ１−φｒｃ２）＋（Ｄｒ−φｒｃ２）…（３）
【００３３】
尚、上記数式３に於いて、（（ｘ−ｘ２）／（ｘ１−ｘ２））×（φｒｃ１−φｒｃ２）の項は点Ｐ１と点Ｐ２での角膜前面屈折力φｒｃ１、φｒｃ２が異なる場合の補正項である。
【００３４】
ＳＴＥＰ  ６：即ち、任意断面での半径Ｒ＝０から瞳最大径迄の全範囲の眼屈折力が演算される。
【００３５】
ＳＴＥＰ  ７、ＳＴＥＰ  ８：前記測定断面を所定角度θ′回転し、測定断面が測定開始の測定断面かどうかが判断され、異なる場合は、回転後の断面についてＳＴＥＰ４からＳＴＥＰ６により同様に眼屈折力を求める。
【００３６】
ＳＴＥＰ  ７：測定断面が元の位置に戻ったかどうか判断され、戻ったと判断された時に断面での眼屈折力の測定が完了する。
【００３７】
ＳＴＥＰ  ９：瞳全面での眼屈折力Ｄｐ（ｘ，θ）のマップが作成される。
【００３８】
ＳＴＥＰ１０：作成されたマップより、最適なＳｒ、Ｃｒ、Ａｘｒが予測される。マップより前記最適なＳｒ、Ｃｒ、Ａｘｒを求める場合、下記最小２乗法を用いる。
【００３９】
角度θの測定断面で、眼屈折力はＤｐｅｒ＝Ｓ＋Ｃｃｏｓ2 （θ−Ａｘ）であり、
【００４０】
ＳＳ＝0∫2π0∫R （Ｄper（θ）−Ｄp（ｒ，θ））2 ｒｄｒｄθ
＝0∫2π0∫R （（Ｓ−Ｃｃｏｓ2 （θ−Ａｘ））−Ｄp（ｒ，θ））2 ｒｄｒｄθ…（４）
【００４１】
ここで、上式で任意のＲの値を代入することにより、任意の瞳孔径（＝２Ｒ）での最適なＳｒ，Ｃｒ，Ａｘｒを算出することができ、瞳孔径（例えば、３mm，７mm）の違いによる屈折力の差異を算出することができる。
【００４２】
而して、ケラトメータ、レフラクトメータ双方の機能を有するのみで、波面センサ等を使用することなく、瞳孔全域での眼屈折特性を正確に測定することができる。
【００４３】
以下、図５を参照して第２の実施の形態について説明する。
【００４４】
該第２の実施の形態では屈折力矯正手術前後の角膜傾斜角値の変化の比を利用するものである。尚、眼特性測定装置の機械的構成は図１で示したものと同様である。
【００４５】
ＳＴＥＰ１５：測定が開始されると、レフラクトメータ機能により眼屈折力が測定される。先ず前記光路１により、被検眼Ｅにリング状指標像１０（図３（Ａ）（Ｂ）参照）が投影され、前記光路２により被検眼Ｅの眼底で反射されたリング状指標が前記エリアセンサ２６に結像される。前記切換えスイッチ６２は前記エリアセンサ２６からの画像信号を前記フレームメモリ６３に入力する様に前記エリアセンサ２６と前記フレームメモリ６３とを接続しており、該フレームメモリ６３は前記エリアセンサ２６の画像信号を記録する。前記屈折度演算部６５は該エリアセンサ２６に記憶された画像信号から、前記リング状指標像１０が投影された領域での屈折力Ｓｒ、Ｃｒ、Ａｘｒ、更に前記リング状指標像１０領域での眼屈折力（ディオプター値）Ｄｒ′＝Ｓｒ＋Ｃｒｃｏｓ2 （θ−Ａｘｒ）を算出する。
【００４６】
ＳＴＥＰ１６：次に、前記光路４によりケラトメータ機能により角膜前面形状が測定される。多重リング状指標が被検眼Ｅの角膜に投影され、前記光路５は被検眼Ｅにより反射された多重リング状指標を前記エリアセンサ２６に導き結像する。前記切換えスイッチ６２は前記エリアセンサ２６と前記フレームメモリ６４とを接続しており、前記エリアセンサ２６の画像信号は前記フレームメモリ６４に記憶される。前記角膜形状演算部６６は前記フレームメモリ６４に記憶された画像信号から、前記瞳領域全域での角膜傾斜値等の角膜前面形状Ｋ′（ｒ，θ）を算出する。
【００４７】
ＳＴＥＰ１７：屈折力矯正手術が行われる。
【００４８】
ＳＴＥＰ１８：ＳＴＥＰ１５と同様に通常に眼屈折特性が測定され、前記リング状指標像１０領域での眼屈折力（ディオプター値）Ｄｒ＝Ｓｒ＋Ｃｒｃｏｓ2（θ−Ａｘｒ）が算出される。
【００４９】
ＳＴＥＰ１９：ＳＴＥＰ１６と同様に矯正手術後の前記瞳領域全域での角膜傾斜等の角膜前面形状Ｋ（ｒ，θ）を算出する。
【００５０】
ＳＴＥＰ２０：第１の実施の形態同様、被検眼Ｅの光軸を通る任意な測定断面（ｘ−ｆ（ｘ））（図３（Ｂ）参照）、例えば光軸を通る鉛直な測定断面（角度θ）での眼屈折力の測定を開始する。
【００５１】
ＳＴＥＰ２１：該測定断面に於いて、ＳＴＥＰ１６及びＳＴＥＰ１９で求めた結果から、任意の点Ｐでの手術前後の角膜傾斜値の差ｄＫｒを算出する。
【００５２】
ＳＴＥＰ２２：ＳＴＥＰ１５とＳＴＥＰ１８で求めた２つの眼屈折力の差ｄＤｒを算出する。
【００５３】
ＳＴＥＰ２３：点Ｐでの眼屈折力Ｄｐを以下の演算により算出する。
【００５４】
レフラクトメータ機能により測定された屈折力矯正手術前後の屈折力の測定値を、（Ｓｒ′，Ｃｒ′，Ａｘｒ′）、（Ｓｒ，Ｃｒ，Ａｘｒ）とすると、この時の眼屈折力Ｄｒ′、Ｄｒは、
【００５５】
Ｄｒ′＝Ｓｒ′＋Ｃｒ′ｃｏｓ2 （θ−Ａｘｒ′）、Ｄｒ＝Ｓｒ＋Ｃｒｃｏｓ2 （θ−Ａｘｒ）であり、これらの差は
【００５６】
ｄＤｒ＝Ｄｒ−Ｄｒ′…（５）となる。
【００５７】
任意の点Ｐでの屈折力矯正力手術前後の角膜前面形状測定により算出された角膜傾斜値をそれぞれＫ′，Ｋとし、その差を
【００５８】
ｄＫ＝Ｋ−Ｋ′…（６）とする。
【００５９】
前記光軸を通る垂直測定断面の前記リング状指標像１０領域に於ける屈折力矯正手術前の角膜傾斜値をＫｒ１′，Ｋｒ２′、手術後の角膜傾斜値をＫｒ１，Ｋｒ２とし、
【００６０】
ｄＫｒ＝（（Ｋｒ１−Ｋｒ１′）＋（Ｋｒ２−Ｋｒ２′））／２…（７）
とすると、任意の点Ｐでの眼屈折力は
【００６１】
Ｄp ＝ｄＫ×ｄＤｒ／ｄＫｒ＋Ｄｒ…（８）
と求めることができる。
【００６２】
測定断面での任意な点、即ち、任意断面での半径Ｒ＝０から瞳最大径迄の全範囲の眼屈折力が演算される。
【００６３】
ＳＴＥＰ２５、ＳＴＥＰ２６：前記測定断面を所定角度θ′回転し、測定断面が測定開始時と同一であるかどうかが判断され、異なる場合は、回転後の断面についてＳＴＥＰ２２からＳＴＥＰ２４により同様に眼屈折力を求める。
【００６４】
ＳＴＥＰ２５：測定断面が元の位置に戻ったかどうか判断され、戻ったと判断された時に断面での眼屈折力の測定が完了する。
【００６５】
ＳＴＥＰ２７：瞳全面での眼屈折力Ｄｐ（ｘ，θ）のマップが作成される。
【００６６】
ＳＴＥＰ２８：作成されたマップより、第１の実施の形態同様最適なＳｒ、Ｃｒ、Ａｘｒが予測される。該最適なＳｒ、Ｃｒ、Ａｘｒが下記最小２乗法により求められる。
【００６７】
角度θの測定断面で、眼屈折力はＤｐｅｒ＝Ｓ＋Ｃｃｏｓ2 （θ−Ａｘ）であり、
ＳＳ＝0∫2π0∫R （Ｄper（θ）−Ｄp（ｒ，θ））2 ｒｄｒｄθ
＝0∫2π0∫R （（Ｓ−Ｃｃｏｓ2 （θ−Ａｘ））−Ｄp（ｒ，θ））2 ｒｄｒｄθ…（４）
【００６８】
而して、第２の実施の形態に於いても、ケラトメータ、レフラクトメータ双方の機能を有するのみで、波面センサ等を使用することなく、瞳孔全域での眼屈折特性を正確に測定することができる。
【００６９】
以下、図６を参照して第３の実施の形態について説明する。
【００７０】
レフラクトメータにより測定した眼屈折力の様に他覚的に測定した眼屈折力と自覚値とは必ずしも一致しない場合があり、該第３の実施の形態は上記第２の実施の形態に自覚値を考慮したものである。図６のフローチャート中、ＳＴＥＰ１４、ＳＴＥＰ１６ａ、ＳＴＥＰ２９が第２の実施の形態に追加されたものである。
【００７１】
ＳＴＥＰ１４：測定が開始されると、自覚値の眼屈折力Ｄｓが測定される。
【００７２】
ＳＴＥＰ１５：レフラクトメータ機能（他覚的に測定）により眼屈折力Ｄｒ′が測定される。
【００７３】
ＳＴＥＰ１６ａ：自覚値の眼屈折力Ｄｓと他覚的測定の眼屈折力Ｄｒ′との比較で眼屈折力のバイアス値が算出される。
【００７４】
以下、ＳＴＥＰ１６からＳＴＥＰ２８迄は第２の実施の形態と同様であるので説明を省略する。
【００７５】
ＳＴＥＰ２９：作成されたマップより、最小２乗法により前記最適なＳｒ、Ｃｒ、Ａｘｒが求められると、更に前記眼屈折力のバイアス値が付加され、被検者の自覚値に適合した最適なＳｒ、Ｃｒ、Ａｘｒが演算される。
【００７６】
而して、第３の実施の形態では被検者の自覚に適合した瞳孔全域での眼屈折特性を測定することができる。
【００７７】
図７は第４実施の形態を示すものであり、自覚の眼屈折力とケラトメータにより測定した角膜前面形状により、瞳全面の眼屈折力のマップを作成する様にしたものである。
【００７８】
ＳＴＥＰ３１：自覚の眼特性測定を行い、自覚値による眼屈折力（Ｓ，Ｃ，Ａｘ）を算出する。
【００７９】
ＳＴＥＰ３２：矯正視力を測定する。
【００８０】
ＳＴＥＰ３３：矯正視力が１．２以上かどうかが判断され、矯正視力が１．２未満の場合は、角膜矯正手術が不適当であると判断され、角膜矯正手術以外の検討が成される（ＳＴＥＰ３４）。矯正視力が１．２以上である場合に角膜矯正手術が施術される。
【００８１】
ＳＴＥＰ３５：次に、ケラトメータ機能により角膜前面形状が測定される。多重リング状指標が被検眼Ｅの角膜に投影され、前記光路５は被検眼Ｅにより反射された多重リング状指標を前記エリアセンサ２６に導き結像する。前記切換えスイッチ６２は前記エリアセンサ２６と前記フレームメモリ６４とを接続しており、前記エリアセンサ２６の画像信号は前記フレームメモリ６４に記憶される。前記角膜形状演算部６６は前記フレームメモリ６４に記憶された画像信号から、前記瞳領域全域での角膜傾斜値等の角膜前面形状Ｋ′（ｒ，θ）を算出する。
【００８２】
ＳＴＥＰ３６：屈折力矯正手術が行われる。
【００８３】
ＳＴＥＰ３７：ＳＴＥＰ３５と同様に矯正手術後の前記瞳領域全域での角膜傾斜等の角膜前面形状Ｋ（ｒ，θ）を算出する。
【００８４】
ＳＴＥＰ３８：第１の実施の形態同様、被検眼Ｅの光軸を通る任意な測定断面（ｘ−ｆ（ｘ））（図３（Ｂ）参照）、例えば光軸を通る鉛直な測定断面（角度θ）での眼屈折力の測定を開始する。
【００８５】
ＳＴＥＰ３９：手術前後の同一な測定断面の任意の点Ｐについて、角膜傾斜値、角膜の屈折率等に基づき、上記数式（１），（２）により角膜前面屈折力を求める。測定断面での任意な点、即ち、任意断面での半径Ｒ＝０から瞳最大径迄の全範囲の眼屈折力が演算される。
【００８６】
ＳＴＥＰ４０：測定断面について手術前後の角膜傾斜値の変化を求める。
【００８７】
ＳＴＥＰ４１：ＳＴＥＰ３１で求めた手術前の自覚眼屈折力とＳＴＥＰ３９で求めた手術前の角膜前面屈折力との関係から内部屈折力を求め、又手術前後で内部屈折力は変化しないことから、該内部屈折力とＳＴＥＰ３９で求めた手術後の角膜前面屈折力から手術後の眼屈折力を求める。任意な点Ｐは測定断面の半径Ｒ＝０から瞳最大径迄であり、瞳全範囲の眼屈折力が演算される。
【００８８】
ＳＴＥＰ４２、ＳＴＥＰ４３：前記測定断面を所定角度θ′回転し、測定断面が測定開始時と同一であるかどうかが判断され、異なる場合は、回転後の断面についてＳＴＥＰ３９からＳＴＥＰ４１により同様に眼屈折力を求める。
【００８９】
ＳＴＥＰ４２：測定断面が元の位置に戻ったかどうか判断され、戻ったと判断された時に断面での眼屈折力の測定が完了する。
【００９０】
ＳＴＥＰ４４：瞳全面での擬似的な屈折力Ｄｐ（ｘ，θ）のマップが作成される。
【００９１】
ＳＴＥＰ４５：作成されたマップより、第１の実施の形態同様最適なＳｒ、Ｃｒ、Ａｘｒが予測される。前記最適なＳｒ、Ｃｒ、Ａｘｒが最小２乗法（前記数式（４））により求められる。
【００９２】
而して、第４の実施の形態では、波面センサ等を使用することなく、レフラクトメータの機能がなくても自覚による眼屈折力を測定する機能とケラトメータの機能を有するのみで、瞳孔全域での眼屈折力を測定することができる。
【００９３】
【発明の効果】
以上述べた如く本発明によれば、装置構成として従来から知られている特定の領域での屈折力を測定可能な光学系、及び角膜形状を測定可能な光学系を具備していれば充分であり、波面センサーを利用した大掛りな装置を必要とせずに被検眼の正確な屈折特性を測定することができるという優れた効果を発揮する。
【図面の簡単な説明】
【図１】本発明の実施の形態を示す基本構成図である。
【図２】本発明の第１の実施の形態を示すフローチャートである。
【図３】（Ａ）（Ｂ）はレフラクトメータで特定領域について眼屈折力を測定する場合の説明図である。
【図４】角膜傾斜値により角膜前面屈折力を算出する場合の説明図である。
【図５】本発明の第２の実施の形態を示すフローチャートである。
【図６】本発明の第３の実施の形態を示すフローチャートである。
【図７】本発明の第４の実施の形態を示すフローチャートである。
【図８】（Ａ）（Ｂ）は屈折力矯正手術前後の角膜形状の変化を示す図である。
【符号の説明】
１          光路
２          光路
３          光路
４          光路
５          光路
１４        リング状絞り板
２６        エリアセンサ
４３        リング状視標板
６１        表示器
６２        切換えスイッチ
６３        フレームメモリ
６４        フレームメモリ
６５        屈折度演算部
６６        角膜形状演算部
６７        主演算処理部
６８        自覚式検眼器
【図１】
0004562234.tif 000002
【図２】
0004562234.tif 000003
【図３】
0004562234.tif 000004
【図４】
0004562234.tif 000005
【図５】
0004562234.tif 000006
【図６】
0004562234.tif 000007
【図７】
0004562234.tif 000008
【図８】
0004562234.tif 000009